(57)【要約】【課題】電気車充電用ケーブルの提供【解決手段】電気車の充電時に電気車充電用ケーブルから発生する熱を冷却流体を用いて効率的に冷却させることにより、熱による内部構成の損傷を防止し、ケーブルの直径を最小化できる電気車充電用ケーブルを提供する。
2020511915.tif 000002
【特許請求の範囲】
【請求項１】
接地ユニットと、
少なくとも一つの通信ユニットと、
絶縁層が設けられた導体、該導体が収容され、冷却流体があらかじめ決定された方向に流動する冷却チューブ、及び前記導体が前記冷却チューブの内部に収容された状態で前記導体の絶縁層と前記冷却チューブの内面との接触を防止するために前記導体と前記冷却チューブの内面との間に設けられたスぺーサを含む一対の電力ユニットと、
前記接地ユニット、前記通信ユニット及び前記電力ユニットを取り囲む外部ジャケットと、
を備える電気車充電用ケーブル。
【請求項２】
前記電力ユニットのスぺーサは、環状ワイヤーの形態で構成され、前記導体の絶縁層の外周面に沿って螺旋状に横巻されることを特徴とする、請求項１に記載の電気車充電用ケーブル。
【請求項３】
前記電力ユニットのスぺーサは、前記導体の絶縁層の外面又は前記冷却チューブの内面に突出形成された複数個の突起であることを特徴とする、請求項１に記載の電気車充電用ケーブル。
【請求項４】
前記冷却チューブ及び前記スぺーサの少なくとも一つは、テフロン系列又はウレタン材質で構成されることを特徴とする、請求項１に記載の電気車充電用ケーブル。
【請求項５】
前記電力ユニットの冷却チューブ内を流動する冷却流体は、一対の電力ユニットのいずれか一つの電力ユニットを構成する冷却チューブを通して、充電用ケーブルの端部に装着される充電器コネクターの方向に供給され、前記充電器コネクターの近傍から他の電力ユニットを構成する冷却チューブを通して回収されることを特徴とする、請求項１に記載の電気車充電用ケーブル。
【請求項６】
一対の前記電力ユニットの冷却チューブは、前記充電器コネクター近傍の対応位置に流体循環ホールが形成され、それぞれの前記流体循環ホールを連結する流体ブリッジを通して前記冷却流体が回収されることを特徴とする、請求項５に記載の電気車充電用ケーブル。
【請求項７】
前記流体ブリッジは、一対の電力ユニットの冷却チューブが貫通して収容される平行な貫通部と、前記流体循環ホールが相互連通するように前記貫通部を連結する連結部とを含んでなることを特徴とする、請求項６に記載の電気車充電用ケーブル。
【請求項８】
前記導体は、前記充電器コネクターの導体部に挿入される構造を有することを特徴とする、請求項１に記載の電気車充電用ケーブル。
【請求項９】
一つの接地ユニットと、
それぞれ絶縁層が設けられた一対の導体と、
前記導体と接触しない状態で前記導体をそれぞれ取り囲み、内側に冷却流体が循環流動する一対の冷却チューブと、
前記一対の冷却チューブを連結させ、一対の冷却チューブのいずれか一つの冷却チューブを通して供給される冷却流体を他の冷却チューブに供給するための流体ブリッジと、
を備える電気車充電用ケーブル。
【請求項１０】
前記導体は前記冷却チューブの内部に収容され、前記導体と前記冷却チューブとの間にスぺーサが設けられることを特徴とする、請求項９に記載の充電用ケーブル。
【請求項１１】
前記スぺーサ及び前記冷却チューブの少なくとも一つは、フッ化ポリエチレン（ＰＴＦＥ，Ｐｏｌｙ  Ｔｅｔｒａ  Ｆｌｕｏｒｏ  Ｅｔｈｙｌｅｎｅ）材質で構成されることを特徴とする、請求項１０に記載の充電用ケーブル。
【請求項１２】
前記スぺーサ及び前記冷却チューブの少なくとも一つは、一般樹脂又はポリエチレン材質で構成された後、表面がフッ化ポリエチレンでコートされることを特徴とする、請求項１０に記載の充電用ケーブル。
【請求項１３】
前記導体は、前記充電用ケーブルの先端部に装着される充電器コネクターの導体部に挿入され、前記流体ブリッジは、前記充電器コネクターのハウジングの内部に配置されることを特徴とする、請求項９に記載の電気車充電用ケーブル。
【請求項１４】
電気車充電器から供給される冷却流体は、一対の冷却チューブのいずれか一つの冷却チューブを通して前記充電器コネクターの方向に供給され、前記流体ブリッジから他の冷却チューブに供給されて電気車充電器に回収されることを特徴とする、請求項１３に記載の電気車充電用ケーブル。
【請求項１５】
一対の前記冷却チューブは、前記充電器コネクター近傍の対応位置に流体循環ホールが形成され、前記流体ブリッジは、一対の冷却チューブが貫通して収容される平行な貫通部、及び前記流体循環ホールが相互連通するように前記貫通部を連結する連結部を含んで構成されることを特徴とする、請求項１４に記載の電気車充電用ケーブル。
【請求項１６】
前記スぺーサは、環状ワイヤーの形態で構成され、前記導体の絶縁層の外部に螺旋状に横巻されることを特徴とする、請求項１０に記載の充電用ケーブル。
【発明の詳細な説明】
【技術分野】
【０００１】
本発明は冷却機能を備えた電気車充電用ケーブルに関する。より具体的に、本発明は、電気車の充電時に電気車充電用ケーブルから発生する熱を冷却流体を用いて効率的に冷却させることにより、熱による内部構成の損傷を防止し、ケーブルの直径を最小化できる電気車充電用ケーブルに関する。
【背景技術】
【０００２】
電気車の普及に伴って電気車充電器の設置が拡大されている。また、短時間で充電可能なように急速充電可能な急速充電器も普及されている。緩速充電と違い、急速充電のための急速充電器の出力電圧は直流５０Ｖ〜４５０Ｖの範囲であり、出力電流は１１０Ａに達し、当該急速充電器によって電気車を充電するのにかかる時間は２０分〜３０分程度に過ぎない。電気車のバッテリー容量及び充電技術によって急速充電器の出力電流が増加すると予想される。
【０００３】
かかる急速充電器は、本体に電気車充電用ケーブルが連結され、充電用ケーブルの先端部に充電器コネクターが装着され、充電器コネクターが電気車に設けられた電気車コネクターに装着され、これによって、電気車充電器から電気車に電気が供給される。
【０００４】
このような急速充電器は、出力電流が１００Ａ以上もするので、これを電気車に伝達する電気車充電用ケーブルの発熱が問題になり得る。電気車充電用ケーブルから発生する熱を最小化するためには電気車ケーブルの導体の直径を増加させるなどの方法があるが、発熱を十分に減少させ難く、電気車充電用ケーブルの重さを増加させるという問題がある。
【０００５】
電気車充電用ケーブルに発生する熱は、火災の危険を増加させ得る。その上、電気車充電のために充電器コネクターを電気車コネクターに装着したり電気車コネクターから充電器コネクターを分離して充電器に据え付けたりする過程で充電用ケーブルがユーザの身体に触れることがあるが、充電用ケーブルの発熱が大きいと、ユーザの負傷、不快感又は不安感を誘発し得るので好ましくない。
【発明の概要】
【発明が解決しようとする課題】
【０００６】
本発明は、電気車の充電時に電気車充電用ケーブルから発生する熱を冷却流体を用いて効率的に冷却させることにより、熱による内部構成の損傷を防止し、ケーブルの直径を最小化できる電気車充電用ケーブルを提供することを、解決しようとする課題とする。
【課題を解決するための手段】
【０００７】
上記の課題を解決するために、本発明は、接地ユニットと、少なくとも一つの通信ユニットと、絶縁層が設けられた導体、該導体が収容され、冷却流体があらかじめ決定された方向に流動する冷却チューブ、及び前記導体が前記冷却チューブの内部に収容された状態で前記導体の絶縁層と前記冷却チューブの内面との接触を防止するために前記導体と前記冷却チューブの内面との間に設けられるスぺーサを含む一対の電力ユニットと、前記接地ユニット、前記通信ユニット及び前記電力ユニットを取り囲む外部ジャケットと、を備える電気車充電用ケーブルを提供することができる。
【０００８】
また、前記電力ユニットのスぺーサは、環状ワイヤーの形態で構成され、 前記導体の絶縁層の外周面に沿って螺旋状に横巻され得る。
【０００９】
そして、前記電力ユニットのスぺーサは、前記導体の絶縁層の外面又は前記冷却チューブの内面に突出形成された複数個の突起であってもよい。
【００１０】
ここで、前記冷却チューブ及び前記スぺーサの少なくとも一つは、テフロン系列又はウレタン材質で構成され得る。
【００１１】
この場合、前記電力ユニットの冷却チューブ内を流動する冷却流体は、一対の電力ユニットのいずれか一つの電力ユニットを構成する冷却チューブを通して、充電用ケーブルの端部に装着される充電器コネクターの方向に供給され、前記充電器コネクター近傍から他の電力ユニットを構成する冷却チューブを通して回収され得る。
【００１２】
また、一対の前記電力ユニットの冷却チューブは、前記充電器コネクター近傍の対応位置に流体循環ホールが形成され、それぞれの前記流体循環ホールを連結する流体ブリッジを通して前記冷却流体が回収され得る。
【００１３】
また、前記流体ブリッジは、一対の電力ユニットの冷却チューブが貫通して収容される平行な貫通部、及び前記流体循環ホールが相互連通されるように前記貫通部を連結する連結部を含んで構成され得る。
【００１４】
そして、前記導体は、前記充電器コネクターの導体部に挿入される構造を有し得る。
【００１５】
また、前記課題を解決するために、一つの接地ユニットと、それぞれ絶縁層が設けられた一対の導体と、前記導体と接触しない状態で前記導体をそれぞれ取り囲み、内側に冷却流体が循環流動する一対の冷却チューブと、一対の冷却チューブを連結し、一対の冷却チューブのいずれか一つの冷却チューブを通して供給される冷却流体を他の冷却チューブに供給するための流体ブリッジと、を備える電気車充電用ケーブルを提供することができる。
【００１６】
また、前記導体は前記冷却チューブの内部に収容され、前記導体と前記冷却チューブとの間にスぺーサが設けられ得る。
【００１７】
そして、前記スぺーサ及び前記冷却チューブの少なくとも一つは、フッ化ポリエチレン（ＰＴＦＥ，Ｐｏｌｙ  Ｔｅｔｒａ  Ｆｌｕｏｒｏ  Ｅｔｈｙｌｅｎｅ）材質で構成され得る。
【００１８】
ここで、前記スぺーサ及び前記冷却チューブの少なくとも一つは、一般樹脂又はポリエチレン材質で構成された後、表面がフッ化ポリエチレンでコートされてもよい。
【００１９】
この場合、前記導体は、前記充電用ケーブルの端部に装着される充電器コネクターの導体部に挿入され、前記流体ブリッジは、前記充電器コネクターのハウジングの内部に配置され得る。
【００２０】
また、電気車充電器から供給される冷却流体は、一対の冷却チューブのいずれか一つの冷却チューブを通して前記充電器コネクターの方向に供給され、前記流体ブリッジから他の冷却チューブに供給されて電気車充電器に回収され得る。
【００２１】
そして、一対の前記冷却チューブは、前記充電器コネクター近傍の対応位置に流体循環ホールが形成され、前記流体ブリッジは、一対の冷却チューブが貫通して収容される平行な貫通部、及び前記流体循環ホールが相互連通されるように前記貫通部を連結する連結部を含んで構成され得る。
【００２２】
ここで、前記スぺーサは、環状ワイヤーの形態で構成され、前記導体の絶縁層の外部に螺旋状に横巻され得る。
【発明の効果】
【００２３】
本発明に係る電気車充電用ケーブルによれば、電気車の急速充電時に電気車充電用ケーブルから発生する熱を、冷却流体を用いて効率的に冷却させることができる。
【００２４】
より具体的に、本発明に係る電気車充電用ケーブルによれば、絶縁層が設けられた導体を、冷却流体が流れる冷却チューブの内部に該チューブの内面と非接触状態で配置し、発熱する導体の冷却性能を極大化することができる。
【００２５】
また、本発明に係る電気車充電用ケーブルによれば、導体を冷却チューブの内面と非接触状態で配置し、導体の絶縁層の全面を冷却させることができるので、領域別冷却偏差による、導体を被覆する絶縁層の局所部位のメルティングを防止することができる。
【００２６】
また、本発明に係る電気車充電用ケーブルによれば、電力ユニットを構成する内部構成を耐熱性に優れた材質で構成し、外部方向の熱伝達又は内部方向の熱伝達を最小化することにより、ユーザの不快感又は不安感を軽減し、外部ジャケット被服時に発生し得る内部構成のメルティングなどの問題も防止することができる。
【００２７】
また、本発明に係る電気車充電用ケーブルによれば、電力ユニット自体に冷却流路を備え、電力ユニットとは別個に冷却管を備える技術に比べて電気車充電用ケーブルの全体直径をコンパクトにすることができる。
【図面の簡単な説明】
【００２８】
【図１】電気車及び電気車充電器を示す。
【図２】電気車及び電気車充電器のコネクターを示す。
【図３】本発明に係る電気車充電用ケーブルの断面図である。
【図４】本発明に係る電気車充電用ケーブルを構成する電力ユニットの構造、及び充電器コネクターの導体部の組立過程を示す。
【図５】本発明に係る電気車充電用ケーブルを構成する一対の電力ユニット、及び冷却流体を循環させるための流体ブリッジを示す。
【図６】本発明に係る電気車充電用ケーブルを構成する一対の電力ユニットと流体ブリッジとの組み立て状態及び内部における冷却流体の流動状態を示す。
【発明を実施するための形態】
【００２９】
以下、添付の図面を参照して本発明の好ましい実施例を詳細に説明する。しかし、本発明は、ここに説明される実施例に限定されず、他の形態に具体化されてもよい。むしろ、ここで紹介される実施例は、開示の内容が徹底且つ完全となり得るように、そして当業者に発明の思想が十分に伝達され得るように提供されるものである。明細書全体を通じて同一の参照番号は同一の構成要素を表す。
【００３０】
図１は、電気車ｅｖ及び電気車充電器３００を示している。
【００３１】
電気車充電器３００は、電気車に電力供給のために充電器コネクター２００及び電気車充電用ケーブル１００で連結され、電気車充電用ケーブル１００の先端部には充電器コネクター２００が設けられている。
【００３２】
充電器コネクター２００は、電気車ｅｖに設けられた電気車コネクター４００に結合して電力を供給でき、急速充電器の場合、２０分〜３０分で電気車の充電を完了することができる。
【００３３】
電気車充電器３００と電気車ｅｖとを電気的に連結する電気車充電用ケーブル１００は、大きい電流容量によって熱が発生することがあり、火災の危険又はユーザの不安感などを解消するために、本発明による電気車充電用ケーブル１００は、冷却流体を用いて電気車充電用ケーブル１００を冷却させる方法を用いる。
【００３４】
図２は、電気車に設けられる電気車コネクター４００、及び電気車充電用ケーブル１００が連結された充電器コネクター２００を示している。図２に示すコネクターは、将来の単一化標準として決定された米国・ヨーロッパ型「コンボ（ＴＹＰＥ１）」方式のコネクターであって、単一のコネクターで交流方式の緩速充電又は直流方式の急速充電のいずれも可能であり、本発明による電気車充電用ケーブル１００を適用することができる。
【００３５】
しかし、本発明による電気車充電用ケーブルは、図２に示す米国・ヨーロッパ型「コンボ（ＴＹＰＥ１）」方式の他、日本の「チャデモ（ＣＨＡｄｅＭＯ）」方式、又はルノーの「交流３相」方式にも適用可能である。
【００３６】
図２に示すように、本発明による電気車充電用ケーブル１００の先端部には充電器コネクター２００が取り付けられ、該充電器コネクター２００は、電気車ｅｖに設けられた電気車コネクター４００に着脱自在に結合可能な構造を有する。
【００３７】
「コンボ（ＴＹＰＥ１）」方式のコネクターは、交流又は直流方式のコネクターが一体化しており、それぞれのコネクターには交流充電部２１０，４１０及び直流充電部２３０，４３０がそれぞれ設けられる。
【００３８】
このようなコネクターに連結された電気車充電用ケーブル１００は、急速充電時に大きい電流量によって発熱が問題になり得るため、本発明による充電器ケーブルは冷却流体を用いて発熱問題を解決している。
【００３９】
図２に示すように、前記電気車充電用ケーブル１００の内部には一対の電力ユニット１０ａ，１０ｂが設けられており、電力ユニット１０ａ，１０ｂの内部にそれぞれ冷却流路１５が設けられ、冷却流路を通して冷却流体を流すことによって電気車充電用ケーブル１００の発熱問題を解決している。一対の前記電力ユニット１０ａ，１０ｂに設けられた冷却流路を通して電気車充電器３００側から供給される冷却流体を、いずれか一つの電力ユニット１０ａ，１０ｂの冷却流路を通して供給し、他の電力ユニット１０ａ，１０ｂの冷却流路を通して回収する方法を用いる。従来、電気車充電用ケーブルの内部に冷却流体の流動する冷却管が設けられた技術、又は冷却流路と電力ユニット又は導体とが隣接して配置される技術が紹介されたことがあるが、発熱が問題となる導体又は電力ユニット１０の表面全体が冷却される方式でないため、冷却管と電力ユニット又は導体とが密着しないか冷却流路と接触しない領域は、冷却性能が不十分であると予想される。
【００４０】
しかし、本発明による電気車充電用ケーブル１００は、それぞれの導体などをそれぞれの冷却流路の内部に収容し、冷却性能を極大化する方法を用いる。図３以下を参照して、本発明による電気車充電用ケーブル１００について詳しく説明する。
【００４１】
図３は、本発明による電気車充電用ケーブル１００の断面図である。
【００４２】
本発明による電気車充電用ケーブル１００は、接地ユニット２０と、少なくとも一つの通信ユニット３０と、絶縁層１３が設けられた導体１１、前記導体１１が収容されており、冷却流体があらかじめ決定された方向に流動する冷却チューブ１７、及び前記導体１１が前記冷却チューブ１７の内部に収容された状態で前記導体１１の絶縁層１３と前記冷却チューブ１７の内面との接触を防止するために前記導体１１と前記冷却チューブ１７の内面との間に設けられたスぺーサ１９を含む一対の電力ユニット１０と、前記接地ユニット２０、前記通信ユニット３０及び前記電力ユニット１０を収容する外部ジャケット７０とを備えることができる。
【００４３】
図３に示す電気車充電用ケーブル１００は、３個の通信ユニット３０、１個の接地ユニット２０、及び一対の電力ユニット１０ａ，１０ｂを備えることができる。
【００４４】
各通信ユニット３０及び接地ユニット２０はそれぞれ被服層で被覆され、ケーブル原形を保持するための介在４０及び引張力補強のための中心引張線５０が備えられ得る。
【００４５】
発熱が問題になる一対の電力ユニット１０ａ，１０ｂは、それぞれその内部を循環するように供給される冷却流体によって冷却することができる。
【００４６】
具体的に、前記電力ユニット１０は、絶縁層１３が設けられた導体１１、前記導体１１が収容され、冷却流体があらかじめ決定された方向に流動する冷却チューブ１７、及び前記導体１１が前記冷却チューブ１７の内部に収容された状態で前記導体１１の絶縁層１３と前記冷却チューブ１７の内面との接触を防止するために前記導体１１と前記冷却チューブ１７の内面との間に設けられたスぺーサ１９を含んで構成され得る。
【００４７】
前記電力ユニット１０の導体はそれぞれ絶縁層１３が設けられた状態で前記冷却チューブ１７内に収容され得る。前記冷却チューブ１７に収容された絶縁層１３付き導体はその外部に冷却流路１５が設けられるので、電力供給時に発生し得る熱を効果的に冷却させることができる。
【００４８】
前記冷却チューブ１７に供給可能な冷却流体は水などでよく、不使用時に凍破などを防止するために凍結防止剤を添加することができる。本発明による電気車充電用ケーブル１００は電気車充電器３００と充電器コネクター２００とを連結し、冷却に使用された冷却流体は電気車充電器３００に再び回収されて冷却後に再供給される方法を用いることができる。
【００４９】
そのために、前記冷却流体を再冷却するための冷却装置と冷却流体を流動させるポンピング装置は電気車充電器３００に設けられてもよく、前記電気車充電器３００の外部に設けられてもよい。
【００５０】
それぞれの冷却チューブを流れる冷却流体は、冷却装置及びポンピング装置において絶縁層付き導体だけが充電器電力供給部（図示せず）に引き出されるようにし、冷却流体は再冷却及びポンピングされて循環流路を形成するようにし得る。
【００５１】
図２を参照して前述したように、前記電力ユニット１０に設けられる冷却流路１５は、一対の電力ユニット１０ａ，１０ｂを循環する構造とすることができる。
【００５２】
すなわち、電気車充電器３００では、電力ユニット１０の冷却チューブ１７を循環しつつ冷却に使用されて温度が上昇した冷却流体を冷却装置で冷却させ、これをポンピング装置によって再び冷却チューブ１７にポンピング供給することにより、電力ユニット１０の連続した冷却を繰り返すことができる。
【００５３】
すなわち、充電器コネクター２００と電気車充電器３００とを連結する電気車充電用ケーブル１００を構成する一対の電力ユニット１０ａ，１０ｂのいずれか一つの電力ユニット１０の冷却チューブ１７には、冷却された冷却流体が供給され、他の電力ユニット１０の冷却チューブ１７からは冷却に使用された冷却流体が回収され得る。その具体的な方法については後述する。
【００５４】
前記電力ユニット１０を構成する導体を均一に冷却させるためには、導体の絶縁層１３の外面に沿って冷却流体が流れ得るような構造を有する必要がある。すなわち、導体の絶縁層１３と冷却チューブ１７の内面とが接触する場合には冷却性能が低下し得るので、冷却流路１５が導体の絶縁層１３の外部に沿って均一に形成され得るよう、導体の絶縁層１３と冷却チューブ１７の内面との接触を防止するためのスぺーサ１９を備えることができる。
【００５５】
前記スぺーサ１９はワイヤーの形態で構成されてもよく、前記導体の絶縁層１３の外面又は前記冷却チューブ１７の内面に設けられた突起の形態で構成されてもよい。
【００５６】
前記スぺーサ１９の存在により、前記導体の絶縁層１３の外面と前記冷却チューブ１７内面との面接触が防止され、冷却流体による冷却効果が極大化し得る。
【００５７】
このような構造により、充電用ケーブルの内部に別途の冷却配管を設ける技術と比較して、本発明は導体の絶縁層の全面を冷却させることができるので、絶縁層表面の領域別冷却偏差の発生を最小化でき、冷却流路の内部に絶縁導体を配置しているため、冷却流体を用いて冷却機能を提供しながらも電気車充電用ケーブルの厚さを最小化できるという効果も得られる。
【００５８】
図３に示す実施例において、前記電力ユニット１０のスぺーサ１９は環状ワイヤーの形態で構成され、前記導体の外周面に沿って螺旋状に横巻されるものが示されているが、導体と冷却チューブの接触を防止できる構造であれば、これに限定されない。すなわち、前記スぺーサは、前記導体の絶縁層の外面又は前記冷却チューブの内面に突出形成された複数個の突起の形態で構成されてもよい。
【００５９】
また、前記スぺーサ１９によって冷却流体の流れが乱流を形成するので、熱をより効果的に奪い取ることができる。
【００６０】
したがって、本発明による電気車充電用ケーブルによれば、導体を、冷却流体が流れる冷却流路が設けられる冷却チューブの内部に、冷却チューブの内面と接触しない状態で配置し、発熱する導体の冷却性能を極大化することができる。
【００６１】
すなわち、本発明による電気車充電用ケーブルによれば、導体を、冷却流体が流れる冷却流路が設けられる冷却チューブの内部に、冷却チューブの内面と接触しない状態で配置し、発熱する導体の絶縁層の全面を冷却するようになり、導体の冷却性能を極大化することができる。
【００６２】
そして、前記スぺーサ１９及び前記冷却チューブ１７は、耐熱性と耐油性に優れた材質で構成することが好ましい。このような材質としてフッ化ポリエチレン（ＰＴＦＥ，Ｐｏｌｙ  Ｔｅｔｒａ  Ｆｌｕｏｒｏ  Ｅｔｈｙｌｅｎｅ）又はウレタン材質を用いて構成されてもよく、一般樹脂又はポリエチレン材質で構成された後、表面がフッ化ポリエチレンなどでコートされてもよい。
【００６３】
フッ化ポリエチレン材質は、例えばテフロン系列であり得る。テフロンは、耐熱温度が−６０℃〜＋２５０℃程度であって、耐熱性に優れる。したがって、このようなテフロン系列を適用することにより、ユーザの不快感又は不安感を誘発する外部熱伝達を最小化でき、外皮被服工程などにおいて内部熱伝達も最小化し、内部構成のメルティングなどを防止して絶縁性能を保障することができる。
【００６４】
また、同目的でケーブルの内部の熱が外部に伝達されることを遮断するために断熱層６０をさらに備えてもよい。
【００６５】
前記断熱層６０は、前記冷却チューブなどと同様に、耐熱性に優れたテフロン系列の材質で構成されるか、或いは、熱伝導性が低く、柔軟性が良い繊維編造体などが適用されても構わない。
【００６６】
図４は、本発明による電気車充電用ケーブル１００を構成する電力ユニット１０の構造と、充電器コネクター２００の導体部２３０の組立過程を示している。
【００６７】
本発明による電気車充電用ケーブル１００の電力ユニット１０は、絶縁層１３が設けられた導体１１を通じて電力を供給する。
【００６８】
図４の（ｂ）に示すように、絶縁層１３が設けられた導体１１は、パイプ状の冷却チューブ１７の内部に収容され得る。そして、前記絶縁層１３の外側には、絶縁層１３の外面と冷却チューブ１７の内面との接触を防止するためのスぺーサ１９が設けられ、図４に示すように、前記スぺーサ１９は環状ワイヤーの形態で構成され、前記導体を被覆する絶縁層１３の外周面に螺旋状に横巻されて装着され得る。
【００６９】
前記スぺーサ１９は環状ワイヤーの形態に限定されず、前記導体の絶縁層１３の外面又は冷却チューブ１７の内面に一体に突出して形成される突起の形態であっても構わない。
【００７０】
そして、図４の（ｂ）に示すように、電気車充電用ケーブル１００の先端部には、充電器コネクター２００の導体部２３０が装着され得る。該充電器コネクター２００の導体部２３０は充電器コネクター２００を構成し、本発明による電気車充電用ケーブル１００の電力ユニット１０を構成する導体に接続される。
【００７１】
前記充電器コネクター２００の導体部２３０は、電気車充電用ケーブル１００の電力ユニット１０の導体１１が挿入されるように挿入構造にし得る。
【００７２】
すなわち、前記充電器コネクター２００の導体部２３０は、前記電気車充電用ケーブル１００を構成する電力ユニット１０の冷却チューブ１７の内部に挿入され、該冷却チューブ１７の内部に挿入された状態で電力ユニット１０の導体が一側から挿入される構造を有し得る。
【００７３】
前記充電器コネクター２００の導体部２３０には、冷却チューブ１７の内部に挿入される挿入深さを制限するための突段２３３と、冷却チューブ１７の内部に挿入された状態が安定的に保持されるとともに冷却流体が漏れないように、冷却チューブ１７の内径よりも円周方向に突出した少なくとも一つの圧迫突起２３１が備えられ得る。前記圧迫突起は、充電器コネクター２００の導体部２３０が前記電気車充電用ケーブル１００の電力ユニット１０を構成する冷却チューブ１７の内部に圧入された状態を安定的に保持させる役割を担うことができる。
【００７４】
さらに、冷媒漏れが心配される場合は、圧迫突起２３１の上に金属スリーブをはめ付けて冷却チューブ１７をより加圧し、水密を保たせてもよい。
【００７５】
そして、前記充電器コネクター２００の導体部２３０が装着される冷却チューブ１７の先端部近傍に、冷却流体の循環流路１５を形成するための流体循環ホール１７ｈが形成され得る。
【００７６】
前述したように、本発明による電気車充電用ケーブル１００は、一対の電力ユニット１０ａ，１０ｂを備えており、それぞれの電力ユニット１０に冷却流路１５が設けられ、いずれか一つの電力ユニット１０の冷却流路１５を通して冷却流体が充電器コネクター２００側に供給され、他の電力ユニット１０の冷却流路１５を通して冷却流体が電気車充電器３００側に回収される循環流路１５を形成して電気車充電用ケーブル１００を冷却させる。
【００７７】
したがって、それぞれの電力ユニット１０の冷却チューブ１７の冷却流路１５を相互連通させるために、電気車充電用ケーブル１００の先端領域、すなわち充電器コネクター２００の接続領域の近傍における冷却チューブ１７に、冷却流体の流体循環ホール１７ｈを形成し、それぞれの流体循環ホール１７ｈを通して冷媒が循環されるように構成できる。
【００７８】
図５は、本発明による電気車充電用ケーブル１００を構成する一対の電力ユニット１０ａ，１０ｂと、冷却流体を循環させるための流体ブリッジ９０を示している。
【００７９】
図５の（ａ）に示すように、一対の電力ユニット１０ａ，１０ｂの冷却チューブ１７には、ケーブルの長さ方向に対応する位置にそれぞれ流体循環ホール１７ｈが設けられ、各電力ユニット１０はＨ字状の流体ブリッジ９０で互いに連結される。
【００８０】
前記流体ブリッジ９０は、電力ユニット１０の冷却チューブ１７が貫通して収容される平行な貫通部９１ａ，９１ｂと、該貫通部９１ａ，９１ｂを垂直方向に連結する連結部９３とを含み、該連結部９３を通して冷媒が循環し得る。
【００８１】
前記流体ブリッジ９０は、電力ユニットが装着され、冷却流体を交換する役割を担うので、ケーブル全体において冷却効果を保障するためには、可能な限り充電器コネクターの近傍に配置されることが好ましく、具体的には、充電器コネクターのハウジング内部に配置されることが好ましい。また、前記流体ブリッジ９０を介した連結部品は、流体循環ホールなどが設けられているためベンディングを防止しなければならず、流体ブリッジ９０が充電器コネクターのハウジングの内部に配置される必要がある。
【００８２】
そして、図５の（ｃ）の流体ブリッジ９２の断面図で示すように、前記流体ブリッジ９０において冷却チューブ１７が貫通して収容される貫通部９１ａ，９１ｂには、流体循環ホール１７ｈの隣接位置にＯ−リング（Ｏ−Ｒｉｎｇ）装着のためのＯ−リング装着溝９２が設けられ得る。該Ｏ−リング装着溝９２は、前記貫通部９１ａ，９１ｂの内周面に冷却チューブの貫通方向と垂直な方向に溝状に形成され得る。
【００８３】
前記Ｏ−リング装着溝９２には柔軟な材質のＯ−リングが装着され、冷却流体の流出を防止することができる。もちろん、Ｏ−リングを挿入する方式の他にも、前記貫通部９１ａ，９１ｂの内周面に、導体部に形成された圧迫突起のような突起部を形成し、冷却チューブとの隙間を除去する方法でシーリング効果を得ることもできる。
【００８４】
図６は、本発明による電気車充電用ケーブル１００を構成する一対の電力ユニット１０ａ，１０ｂと流体ブリッジ９０とが組み立てられた状態を示している。
【００８５】
したがって、図６の（ａ）に示すように、それぞれの電力ユニット１０を前記流体ブリッジ９０の貫通部９１ａ，９１ｂを貫通して配置し、それぞれの電力ユニット１０を構成する冷却チューブ１７の流体循環ホール１７ｈを、前記流体ブリッジ９０の連結部９３に向かう方向に配置させると、いずれか一つの冷却チューブ１７を通して供給される冷却流体は、当該流体循環ホール１７ｈ、流体ブリッジ９０の連結部９３、及び他の冷却チューブ１７の流体循環ホール１７ｈを流動して循環でき、これは、冷却に使われた冷却流体が、冷却流体を供給する電気車充電器３００に回収され得ることを意味する。
【００８６】
そして、図６の（ｂ）に示すように、電気車充電器３００からいずれか一つの電力ユニット１０に供給されて当該電力ユニット１０の導体冷却に使われた冷媒は、他の電力ユニット１０の冷却チューブ１７に流れてその内部の導体を冷却しつつ、電気車充電器３００などに設けられた冷却装置に回収され得る。
【００８７】
そして、図６の（ｂ）の断面図で示すように、前記流体ブリッジ９０の連結部９３の位置はそれぞれの貫通部９１ａ，９１ｂの中心を連結する方式であるので、いずれか一つの冷却チューブ１７に供給される冷却流体は、前記電気車コネクター４００の導体部２３０の基端まで循環した後に流体循環ホール１７ｈを通して他の冷却チューブ１７に供給され得るので、冷却流体が充電器コネクター２００の導体部２３０まで冷却させる更なる効果を得ることができる。
【００８８】
また、前述したように、前記流体ブリッジ９０は充電器コネクターのハウジングの内部に設けられ得るので、流体ブリッジ９０による連結部位の機密性が安定的に保障され得る。
【００８９】
そして、前述したように、前記冷却チューブ１７が貫通する貫通部９１ａ，９１ｂにＯ−リング（Ｏ−Ｒｉｎｇ）を装着する方法によって流体ブリッジの貫通部の内周面と冷却チューブの外周面との機密性を向上させ、冷却流体の漏れを防止することができる。前記貫通部９１ａ，９１ｂに装着されるＯ−リング（Ｏ−Ｒｉｎｇ）の個数又は位置は変更されてもよい。
【００９０】
そして、冷却流体の温度が十分に低いか、流量が十分な場合は、冷却流体の供給温度と冷却流体の回収温度との差が小さいため、冷却流体が供給される電力ユニット１０も回収される電力ユニット１０も十分に冷却させることができる。
【００９１】
また、季節又は充電器使用頻度などによって電気車充電用ケーブル１００の冷却負荷に偏差があり得るので、回収される冷却流体の温度に基づいて、供給される冷却流体の温度及び流量を調節することにより、冷却負荷に応じて最適の冷却効果を得ることができる。
【００９２】
本明細書は、本発明の好ましい実施例を参照して説明したが、当該技術の分野における当業者は、以下に述べる特許請求の範囲に記載された本発明の思想及び領域を逸脱しない範囲内で、本発明を様々に修正及び変更して実施可能であろう。したがって、変形された実施が基本的に本発明の特許請求の範囲の構成要素を含む場合はいずれも本発明の技術的範ちゅうに含まれるものと見なすべきである。
【図１】
2020511915.tif 000003
【図２】
2020511915.tif 000004
【図３】
2020511915.tif 000005
【図４（ａ）】
2020511915.tif 000006
【図４（ｂ）】
2020511915.tif 000007
【図４（ｃ）】
2020511915.tif 000008
【図５（ａ）】
2020511915.tif 000009
【図５（ｂ）】
2020511915.tif 000010
【図５（ｃ）】
2020511915.tif 000011
【図６（ａ）】
2020511915.tif 000012
【図６（ｂ）】
2020511915.tif 000013
【国際調査報告】
2020511915.tif 000014
2020511915.tif 000015
2020511915.tif 000016
2020511915.tif 000017